(57)【要約】【課題】エージェント機能の改善に寄与することができるエージェントシステム、エージェントシステムの制御方法、およびプログラムを提供すること。【解決手段】利用者により発生された音声に対して音声認識を行う音声認識部と、前記音声認識の結果に基づいて前記利用者の意図解釈を行う意図解釈部と、前記意図解釈の結果に基づいて前記利用者にサービスを提供するサービス提供部と、前記意図解釈の結果が、前記サービス提供部が提供可能なサービスの範囲を超える場合、前記意図解釈の結果に基づく情報を記憶部に記憶させる記憶制御部と、を備えるエージェントシステム。【選択図】図５
2020160133.tif 000002
【特許請求の範囲】
【請求項１】
利用者により発生された音声に対して音声認識を行う音声認識部と、
前記音声認識の結果に基づいて前記利用者の意図解釈を行う意図解釈部と、
前記意図解釈の結果に基づいて前記利用者にサービスを提供するサービス提供部と、
前記意図解釈の結果が、前記サービス提供部が提供可能なサービスの範囲を超える場合、前記意図解釈の結果に基づく情報を記憶部に記憶させる記憶制御部と、
を備えるエージェントシステム。
【請求項２】
前記記憶部には、更に、前記サービス提供部が提供可能なサービスに関する情報が記憶されている、
請求項１記載のエージェントシステム。
【請求項３】
前記サービス提供部は、前記意図解釈の結果が、前記サービス提供部が提供可能なサービスの範囲を超える場合、前記意図解釈の結果に基づく情報を前記記憶部に記憶させるか否かを前記利用者に問い合わせ、
前記記憶制御部は、前記問い合わせの結果、前記意図解釈の結果に基づく情報を前記記憶部に記憶させることを要求する回答が得られた場合、前記意図解釈の結果に基づく情報を記憶部に記憶させる、
請求項１または２記載のエージェントシステム。
【請求項４】
前記記憶制御部は、前記意図解釈の結果が、前記サービス提供部が提供可能なサービスの範囲を超えることとなった頻度または回数に基づいて、前記意図解釈の結果に基づく情報を記憶部に記憶させる、
請求項１から３のうちいずれか１項記載のエージェントシステム。
【請求項５】
前記記憶制御部は、前記音声認識の結果、前記利用者により所定のフレーズが発話されたこと認識された場合に、前記意図解釈の結果に基づく情報を記憶部に記憶させる、
請求項１から４のうちいずれか１項記載のエージェントシステム。
【請求項６】
前記記憶制御部は、前記サービス提供部が提供可能なサービスの範囲を超えると判定された前記意図解釈の結果が、前記サービス提供部が提供可能なサービスとなった場合、前記サービス提供部が提供可能なサービスに関する情報が、前記サービス提供部が提供可能なサービスとして前記記憶部に追加する、
請求項２記載のエージェントシステム。
【請求項７】
前記サービス提供部は、前記意図解釈の結果が、前記サービス提供部が提供可能なサービスの範囲を超える場合において、前記サービス提供部が提供可能なサービスの範囲を超えると判定された前記意図解釈の結果に基づく情報が前記記憶部に記憶されているか否かに基づいて、前記利用者に対して異なる応答を行う、
請求項１から６のうちいずれか１項記載のエージェントシステム。
【請求項８】
音声認識部が、利用者により発生された音声に対して音声認識を行い、
意図解釈部が、前記音声認識の結果に基づいて前記利用者の意図解釈を行い、
サービス提供部が、前記意図解釈の結果に基づいて前記利用者にサービスを提供し、
記憶制御部が、前記意図解釈の結果が、前記サービス提供部が提供可能なサービスの範囲を超える場合、前記意図解釈の結果に基づく情報を記憶部に記憶させる、
エージェントシステムの制御方法。
【請求項９】
コンピュータに、
利用者により発生された音声に対して音声認識を行わせ、
前記音声認識の結果に基づいて前記利用者の意図解釈を行わせ、
前記意図解釈の結果に基づいて前記利用者にサービスを提供させ、
前記意図解釈の結果が、提供可能なサービスの範囲を超える場合、前記意図解釈の結果に基づく情報を記憶部に記憶させる処理を行わせる、
プログラム。
【発明の詳細な説明】
【技術分野】
【０００１】
本発明は、エージェントシステム、エージェントシステムの制御方法、およびプログラムに関する。
【背景技術】
【０００２】
従来、車両の乗員と対話を行いながら、乗員の要求に応じた運転支援に関する情報や車両の制御、その他のアプリケーション等を提供するエージェント機能に関する技術が開示されている（例えば、特許文献１参照）。
【先行技術文献】
【特許文献】
【０００３】
【特許文献１】特開２００６−３３５２３１号公報
【発明の概要】
【発明が解決しようとする課題】
【０００４】
従来の技術では、利用者が、エージェント機能が予め想定していない発話を行った場合、単に「分からない」「対応できない」といった画一的な応答がなされており、それ以上の工夫がなされていなかった。このため、エージェント機能の改善に寄与することができなかった。
【０００５】
本発明は、このような事情を考慮してなされたものであり、エージェント機能の改善に寄与することができるエージェントシステム、エージェントシステムの制御方法、およびプログラムを提供することを目的の一つとする。
【課題を解決するための手段】
【０００６】
この発明に係るエージェントシステム、エージェントシステムの制御方法、およびプログラムは、以下の構成を採用した。
【０００７】
（１）：この発明の一態様に係るエージェントシステムは、利用者により発生された音声に対して音声認識を行う音声認識部と、前記音声認識の結果に基づいて前記利用者の意図解釈を行う意図解釈部と、前記意図解釈の結果に基づいて前記利用者にサービスを提供するサービス提供部と、前記意図解釈の結果が、前記サービス提供部が提供可能なサービスの範囲を超える場合、前記意図解釈の結果に基づく情報を記憶部に記憶させる記憶制御部と、を備えるものである。
【０００８】
（２）：上記（１）の態様において、前記記憶部には、更に、前記サービス提供部が提供可能なサービスに関する情報が記憶されているものである。
【０００９】
（３）：上記（１）または（２）の態様において、前記サービス提供部は、前記意図解釈の結果が、前記サービス提供部が提供可能なサービスの範囲を超える場合、前記意図解釈の結果に基づく情報を前記記憶部に記憶させるか否かを前記利用者に問い合わせ、前記記憶制御部は、前記問い合わせの結果、前記意図解釈の結果に基づく情報を前記記憶部に記憶させることを要求する回答が得られた場合、前記意図解釈の結果に基づく情報を記憶部に記憶させるものである。
【００１０】
（４）：上記（１）から（３）のいずれかの態様において、前記記憶制御部は、前記意図解釈の結果が、前記サービス提供部が提供可能なサービスの範囲を超えることとなった頻度または回数に基づいて、前記意図解釈の結果に基づく情報を記憶部に記憶させるものである。
【００１１】
（５）：上記（１）から（４）のいずれかの態様において、前記記憶制御部は、前記音声認識の結果、前記利用者により所定のフレーズが発話されたこと認識された場合に、前記意図解釈の結果に基づく情報を記憶部に記憶させるものである。
【００１２】
（６）：上記（２）の態様において、前記記憶制御部は、前記サービス提供部が提供可能なサービスの範囲を超えると判定された前記意図解釈の結果が、前記サービス提供部が提供可能なサービスとなった場合、前記サービス提供部が提供可能なサービスに関する情報が、前記サービス提供部が提供可能なサービスとして前記記憶部に追加するものである。
【００１３】
（７）：上記（１）から（６）のいずれかの態様において、前記サービス提供部は、前記意図解釈の結果が、前記サービス提供部が提供可能なサービスの範囲を超える場合において、前記サービス提供部が提供可能なサービスの範囲を超えると判定された前記意図解釈の結果に基づく情報が前記記憶部に記憶されているか否かに基づいて、前記利用者に対して異なる応答を行うものである。
【００１４】
（８）：この発明の他の態様に係るエージェントシステムの制御方法は、音声認識部が、利用者により発生された音声に対して音声認識を行い、意図解釈部が、前記音声認識の結果に基づいて前記利用者の意図解釈を行い、サービス提供部が、前記意図解釈の結果に基づいて前記利用者にサービスを提供し、記憶制御部が、前記意図解釈の結果が、前記サービス提供部が提供可能なサービスの範囲を超える場合、前記意図解釈の結果に基づく情報を記憶部に記憶させるものである。
【００１５】
（９）：この発明の他の態様に係るプログラムは、コンピュータに、利用者により発生された音声に対して音声認識を行わせ、前記音声認識の結果に基づいて前記利用者の意図解釈を行わせ、前記意図解釈の結果に基づいて前記利用者にサービスを提供させ、前記意図解釈の結果が、前記サービス提供部が提供可能なサービスの範囲を超える場合、前記意図解釈の結果に基づく情報を記憶部に記憶させる処理を行わせるものである。
【発明の効果】
【００１６】
（１）〜（９）の態様によれば、エージェント機能の改善に寄与することができる。
【図面の簡単な説明】
【００１７】
【図１】エージェント装置１００を含むエージェントシステム１の構成図である。
【図２】第１実施形態に係るエージェント装置１００の構成と、車両Ｍに搭載された機器とを示す図である。
【図３】表示・操作装置２０の配置例を示す図である。
【図４】スピーカユニット３０の配置例を示す図である。
【図５】エージェントサーバ２００の構成と、エージェント装置１００の構成の一部とを示す図である。
【図６】サービスＤＢ２６０の内容の一例を示す図である。
【図７】乗員（利用者Ｕ）の発話に応じてエージェント装置１００が応答する内容を例示した図である。
【図８】エージェントサーバ２００において実行される処理の流れの一例を示すフローチャートである。
【図９】エージェント機能の追加（サービスの追加）について説明するための図である。
【図１０】変形例２に係る処理の内容について説明するための図である。
【図１１】変形例３に係る処理の内容について説明するための図である。
【発明を実施するための形態】
【００１８】
以下、図面を参照し、本発明のエージェント装置、エージェント装置の制御方法、プログラム、およびエージェントサーバの実施形態について説明する。エージェント装置は、エージェントシステムの一部または全部を実現する装置である。以下では、エージェント装置の一例として、車両（以下、車両Ｍ）に搭載され、複数種類のエージェント機能を備えたエージェント装置について説明する。本発明の適用上、必ずしもエージェント装置が複数種類のエージェント機能を有している必要はなく、エージェント装置は、スマートフォンなどの可搬型端末装置であってもよいが、以下の説明では、車両に搭載された複数種類のエージェント機能を備えたエージェント装置を前提とする。エージェント機能とは、例えば、車両Ｍの乗員と対話をしながら、乗員の発話の中に含まれる要求（コマンド）に基づく各種の情報提供や各種機器制御を行ったり、ネットワークサービスを仲介したりする機能である。複数種類のエージェントはそれぞれに果たす機能、処理手順、制御、出力態様・内容がそれぞれ異なってもよい。エージェント機能の中には、車両内の機器（例えば運転制御や車体制御に関わる機器）の制御等を行う機能を有するものがあってよい。
【００１９】
エージェント機能は、例えば、乗員の音声を認識する音声認識機能（音声をテキスト化する機能）に加え、自然言語処理機能（テキストの構造や意味を理解する機能、換言すると意図解釈機能）、対話管理機能、ネットワークを介して他装置を検索し、或いは自装置が保有する所定のデータベースを検索するネットワーク検索機能等を統合的に利用して実現される。これらの機能の一部または全部は、ＡＩ（Artificial Intelligence）技術によって実現されてよい。また、これらの機能を行うための構成の一部（特に、音声認識機能や自然言語処理解釈機能）は、車両Ｍの車載通信装置または車両Ｍに持ち込まれた汎用通信装置と通信可能なエージェントサーバ（外部装置）に搭載されてもよい。以下の説明では、構成の一部がエージェントサーバに搭載されており、エージェント装置とエージェントサーバが協働してエージェントシステムを実現することを前提とする。また、エージェント装置とエージェントサーバが協働して仮想的に出現させるサービス提供主体（サービス・エンティティ）をエージェントと称する。
【００２０】
＜全体構成＞
図１は、エージェント装置１００を含むエージェントシステム１の構成図である。エージェントシステム１は、例えば、エージェント装置１００と、複数のエージェントサーバ２００−１、２００−２、２００−３、…とを備える。符号の末尾のハイフン以下の数字は、エージェントを区別するための識別子であるものとする。いずれのエージェントサーバであるかを区別しない場合、単にエージェントサーバ２００と称する場合がある。図１では３つのエージェントサーバ２００を示しているが、エージェントサーバ２００の数は２つであってもよいし、４つ以上であってもよい。それぞれのエージェントサーバ２００は、互いに異なるエージェントシステムの提供者が運営するものである。従って、本発明におけるエージェントは、互いに異なる提供者により実現されるエージェントである。提供者としては、例えば、自動車メーカー、ネットワークサービス事業者、電子商取引事業者、携帯端末の販売者や製造者などが挙げられ、任意の主体（法人、団体、個人等）がエージェントシステムの提供者となり得る。
【００２１】
エージェント装置１００は、ネットワークＮＷを介してエージェントサーバ２００と通信する。ネットワークＮＷは、例えば、インターネット、セルラー網、Ｗｉ−Ｆｉ網、ＷＡＮ（Wide Area Network）、ＬＡＮ（Local Area Network）、公衆回線、電話回線、無線基地局などのうち一部または全部を含む。ネットワークＮＷには、各種ウェブサーバ３００が接続されており、エージェントサーバ２００またはエージェント装置１００は、ネットワークＮＷを介して各種ウェブサーバ３００からウェブページを取得することができる。
【００２２】
エージェント装置１００は、車両Ｍの乗員と対話を行い、乗員からの音声をエージェントサーバ２００に送信し、エージェントサーバ２００から得られた回答を、音声出力や画像表示の形で乗員に提示する。
【００２３】
［車両］
図２は、第１実施形態に係るエージェント装置１００の構成と、車両Ｍに搭載された機器とを示す図である。車両Ｍには、例えば、一以上のマイク１０と、表示・操作装置２０と、スピーカユニット３０と、ナビゲーション装置４０と、車両機器５０と、車載通信装置６０と、乗員認識装置８０と、エージェント装置１００とが搭載される。また、スマートフォンなどの汎用通信装置７０が車室内に持ち込まれ、通信装置として使用される場合がある。これらの装置は、ＣＡＮ（Controller Area Network）通信線等の多重通信線やシリアル通信線、無線通信網等によって互いに接続される。なお、図２に示す構成はあくまで一例であり、構成の一部が省略されてもよいし、更に別の構成が追加されてもよい。
【００２４】
マイク１０は、車室内で発せられた音声を収集する収音部である。表示・操作装置２０は、画像を表示すると共に、入力操作を受付可能な装置（或いは装置群）である。表示・操作装置２０は、例えば、タッチパネルとして構成されたディスプレイ装置を含む。表示・操作装置２０は、更に、ＨＵＤ（Head Up Display）や機械式の入力装置を含んでもよい。スピーカユニット３０は、例えば、車室内の互いに異なる位置に配設された複数のスピーカ（音出力部）を含む。表示・操作装置２０は、エージェント装置１００とナビゲーション装置４０とで共用されてもよい。表示・操作装置２０とスピーカユニット３０のうち少なくとも一方は、「出力部」の一例である。
【００２５】
ナビゲーション装置４０は、ナビＨＭＩ（Human machine Interface）と、ＧＰＳ（Global Positioning System）などの位置測位装置と、地図情報を記憶した記憶装置と、経路探索などを行う制御装置（ナビゲーションコントローラ）とを備える。マイク１０、表示・操作装置２０、およびスピーカユニット３０のうち一部または全部がナビＨＭＩとして用いられてもよい。ナビゲーション装置４０は、位置測位装置によって特定された車両Ｍの位置から、乗員によって入力された目的地まで移動するための経路（ナビ経路）を探索し、経路に沿って車両Ｍが走行できるように、ナビＨＭＩを用いて案内情報を出力する。経路探索機能は、ネットワークＮＷを介してアクセス可能なナビゲーションサーバにあってもよい。この場合、ナビゲーション装置４０は、ナビゲーションサーバから経路を取得して案内情報を出力する。なお、エージェント装置１００は、ナビゲーションコントローラを基盤として構築されてもよく、その場合、ナビゲーションコントローラとエージェント装置１００は、ハードウェア上は一体に構成される。
【００２６】
車両機器５０は、例えば、エンジンや走行用モータなどの駆動力出力装置、エンジンの始動モータ、ドアロック装置、ドア開閉装置、窓、窓の開閉装置及び窓の開閉制御装置、シート、シート位置の制御装置、ルームミラー及びその角度位置制御装置、車両内外の照明装置及びその制御装置、ワイパーやデフォッガー及びそれぞれの制御装置、方向指示灯及びその制御装置、空調装置、走行距離やタイヤの空気圧の情報や燃料の残量情報などの車両情報装置などを含む。
【００２７】
車載通信装置６０は、例えば、セルラー網やＷｉ−Ｆｉ網を利用してネットワークＮＷにアクセス可能な無線通信装置である。
【００２８】
乗員認識装置８０は、例えば、着座センサ、車室内カメラ、画像認識装置などを含む。着座センサは座席の下部に設けられた圧力センサ、シートベルトに取り付けられた張力センサなどを含む。車室内カメラは、車室内に設けられたＣＣＤ（Charge Coupled Device）カメラやＣＭＯＳ（Complementary Metal Oxide Semiconductor）カメラである。画像認識装置は、車室内カメラの画像を解析し、座席ごとの乗員の有無、顔向きなどを認識する。本実施形態において、乗員認識装置８０は、着座位置認識部の一例である。
【００２９】
図３は、表示・操作装置２０の配置例を示す図である。表示・操作装置２０は、例えば、第１ディスプレイ２２と、第２ディスプレイ２４と、操作スイッチＡＳＳＹ２６とを含む。表示・操作装置２０は、更に、ＨＵＤ２８を含んでもよい。
【００３０】
車両Ｍには、例えば、ステアリングホイールＳＷが設けられた運転席ＤＳと、運転席ＤＳに対して車幅方向（図中Ｙ方向）に設けられた助手席ＡＳとが存在する。第１ディスプレイ２２は、インストルメントパネルにおける運転席ＤＳと助手席ＡＳとの中間辺りから、助手席ＡＳの左端部に対向する位置まで延在する横長形状のディスプレイ装置である。第２ディスプレイ２４は、運転席ＤＳと助手席ＡＳとの車幅方向に関する中間あたり、且つ第１ディスプレイの下方に設置されている。例えば、第１ディスプレイ２２と第２ディスプレイ２４は、共にタッチパネルとして構成され、表示部としてＬＣＤ（Liquid Crystal Display）や有機ＥＬ（Electroluminescence）、プラズマディスプレイなどを備えるものである。操作スイッチＡＳＳＹ２６は、ダイヤルスイッチやボタン式スイッチなどが集積されたものである。表示・操作装置２０は、乗員によってなされた操作の内容をエージェント装置１００に出力する。第１ディスプレイ２２または第２ディスプレイ２４が表示する内容は、エージェント装置１００によって決定されてよい。
【００３１】
図４は、スピーカユニット３０の配置例を示す図である。スピーカユニット３０は、例えば、スピーカ３０Ａ〜３０Ｈを含む。スピーカ３０Ａは、運転席ＤＳ側の窓柱（いわゆるＡピラー）に設置されている。スピーカ３０Ｂは、運転席ＤＳに近いドアの下部に設置されている。スピーカ３０Ｃは、助手席ＡＳ側の窓柱に設置されている。スピーカ３０Ｄは、助手席ＡＳに近いドアの下部に設置されている。スピーカ３０Ｅは、右側後部座席ＢＳ１側に近いドアの下部に設置されている。スピーカ３０Ｆは、左側後部座席ＢＳ２側に近いドアの下部に設置されている。スピーカ３０Ｇは、第２ディスプレイ２４の近傍に設置されている。スピーカ３０Ｈは、車室の天井（ルーフ）に設置されている。
【００３２】
係る配置において、例えば、専らスピーカ３０Ａおよび３０Ｂに音を出力させた場合、音像は運転席ＤＳ付近に定位することになる。また、専らスピーカ３０Ｃおよび３０Ｄに音を出力させた場合、音像は助手席ＡＳ付近に定位することになる。また、専らスピーカ３０Ｅに音を出力させた場合、音像は右側後部座席ＢＳ１付近に定位することになる。また、専らスピーカ３０Ｆに音を出力させた場合、音像は左側後部座席ＢＳ２付近に定位することになる。また、専らスピーカ３０Ｇに音を出力させた場合、音像は車室の前方付近に定位することになり、専らスピーカ３０Ｈに音を出力させた場合、音像は車室の上方付近に定位することになる。これに限らず、スピーカユニット３０は、ミキサーやアンプを用いて各スピーカの出力する音の配分を調整することで、車室内の任意の位置に音像を定位させることができる。
【００３３】
［エージェント装置］
図２に戻り、エージェント装置１００は、管理部１１０と、エージェント機能部１５０−１、１５０−２、１５０−３と、ペアリングアプリ実行部１５２とを備える。管理部１１０は、例えば、音響処理部１１２と、エージェントごとＷＵ（Wake Up）判定部１１４と、表示制御部１１６と、音声制御部１１８とを備える。いずれのエージェント機能部であるか区別しない場合、単にエージェント機能部１５０と称する。３つのエージェント機能部１５０を示しているのは、図１におけるエージェントサーバ２００の数に対応させた一例に過ぎず、エージェント機能部１５０の数は、２つであってもよいし、４つ以上であってもよい。図２に示すソフトウェア配置は説明のために簡易に示しており、実際には、例えば、エージェント機能部１５０と車載通信装置６０の間に管理部１１０が介在してもよいように、任意に改変することができる。
【００３４】
エージェント装置１００の各構成要素は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置（非一過性の記憶媒体を備える記憶装置）に格納されていてもよいし、ＤＶＤやＣＤ−ＲＯＭなどの着脱可能な記憶媒体（非一過性の記憶媒体）に格納されており、記憶媒体がドライブ装置に装着されることでインストールされてもよい。
【００３５】
管理部１１０は、ＯＳ（Operating System）やミドルウェアなどのプログラムが実行されることで機能する。
【００３６】
管理部１１０の音響処理部１１２は、エージェントごとに予め設定されているウエイクアップワードを認識するのに適した状態になるように、入力された音に対して音響処理を行う。
【００３７】
エージェントごとＷＵ判定部１１４は、エージェント機能部１５０−１、１５０−２、１５０−３のそれぞれに対応して存在し、エージェントごとに予め定められているウエイクアップワードを認識する。エージェントごとＷＵ判定部１１４は、音響処理が行われた音声（音声ストリーム）から音声の意味を認識する。まず、エージェントごとＷＵ判定部１１４は、音声ストリームにおける音声波形の振幅と零交差に基づいて音声区間を検出する。エージェントごとＷＵ判定部１１４は、混合ガウス分布モデル（ＧＭＭ；Gaussian mixture model) に基づくフレーム単位の音声識別および非音声識別に基づく区間検出を行ってもよい。
【００３８】
次に、エージェントごとＷＵ判定部１１４は、検出した音声区間における音声をテキスト化し、文字情報とする。そして、エージェントごとＷＵ判定部１１４は、テキスト化した文字情報がウエイクアップワードに該当するか否かを判定する。ウエイクアップワードであると判定した場合。エージェントごとＷＵ判定部１１４は、対応するエージェント機能部１５０を起動させる。なお、エージェントごとＷＵ判定部１１４に相当する機能がエージェントサーバ２００に搭載されてもよい。この場合、管理部１１０は、音響処理部１１２によって音響処理が行われた音声ストリームをエージェントサーバ２００に送信し、エージェントサーバ２００がウエイクアップワードであると判定した場合、エージェントサーバ２００からの指示に従ってエージェント機能部１５０が起動する。なお、各エージェント機能部１５０は、常時起動しており且つウエイクアップワードの判定を自ら行うものであってよい。この場合、管理部１１０がエージェントごとＷＵ判定部１１４を備える必要はない。
【００３９】
エージェント機能部１５０は、対応するエージェントサーバ２００と協働してエージェントを出現させ、車両の乗員の発話に応じて、音声による応答を含むサービスを提供する。エージェント機能部１５０には、車両機器５０を制御する権限が付与されたものが含まれてよい。また、エージェント機能部１５０には、ペアリングアプリ実行部１５２を介して汎用通信装置７０と連携し、エージェントサーバ２００と通信するものがあってよい。例えば、エージェント機能部１５０−１には、車両機器５０を制御する権限が付与されている。エージェント機能部１５０−１は、車載通信装置６０を介してエージェントサーバ２００−１と通信する。エージェント機能部１５０−２は、車載通信装置６０を介してエージェントサーバ２００−２と通信する。エージェント機能部１５０−３は、ペアリングアプリ実行部１５２を介して汎用通信装置７０と連携し、エージェントサーバ２００−３と通信する。ペアリングアプリ実行部１５２は、例えば、Ｂｌｕｅｔｏｏｔｈ（登録商標）によって汎用通信装置７０とペアリングを行い、エージェント機能部１５０−３と汎用通信装置７０とを接続させる。なお、エージェント機能部１５０−３は、ＵＳＢ（Universal Serial Bus）などを利用した有線通信によって汎用通信装置７０に接続されるようにしてもよい。以下、エージェント機能部１５０−１とエージェントサーバ２００−１が協働して出現させるエージェントをエージェント１、エージェント機能部１５０−２とエージェントサーバ２００−２が協働して出現させるエージェントをエージェント２、エージェント機能部１５０−３とエージェントサーバ２００−３が協働して出現させるエージェントをエージェント３と称する場合がある。
【００４０】
表示制御部１１６は、エージェント機能部１５０からの指示に応じて第１ディスプレイ２２または第２ディスプレイ２４に画像を表示させる。以下では、第１ディスプレイ２２を使用するものとする。表示制御部１１６は、一部のエージェント機能部１５０の制御により、例えば、車室内で乗員とのコミュニケーションを行う擬人化されたエージェントの画像（以下、エージェント画像と称する）を生成し、生成したエージェント画像を第１ディスプレイ２２に表示させる。エージェント画像は、例えば、乗員に対して話しかける態様の画像である。エージェント画像は、例えば、少なくとも観者（乗員）によって表情や顔向きが認識される程度の顔画像を含んでよい。例えば、エージェント画像は、顔領域の中に目や鼻に擬したパーツが表されており、顔領域の中のパーツの位置に基づいて表情や顔向きが認識されるものであってよい。また、エージェント画像は、立体的に感じられ、観者によって三次元空間における頭部画像を含むことでエージェントの顔向きが認識されたり、本体（胴体や手足）の画像を含むことで、エージェントの動作や振る舞い、姿勢等が認識されるものであってもよい。また、エージェント画像は、アニメーション画像であってもよい。
【００４１】
音声制御部１１８は、エージェント機能部１５０からの指示に応じて、スピーカユニット３０に含まれるスピーカのうち一部または全部に音声を出力させる。音声制御部１１８は、複数のスピーカユニット３０を用いて、エージェント画像の表示位置に対応する位置にエージェント音声の音像を定位させる制御を行ってもよい。エージェント画像の表示位置に対応する位置とは、例えば、エージェント画像がエージェント音声を喋っていると乗員が感じると予測される位置であり、具体的には、エージェント画像の表示位置付近（例えば、２〜３［ｃｍ］以内）の位置である。また、音像が定位するとは、例えば、乗員の左右の耳に伝達される音の大きさを調節することにより、乗員が感じる音源の空間的な位置を定めることである。
【００４２】
［エージェントサーバ］
図５は、エージェントサーバ２００の構成と、エージェント装置１００の構成の一部とを示す図である。以下、エージェントサーバ２００の構成と共にエージェント機能部１５０等の動作について説明する。ここでは、エージェント装置１００からネットワークＮＷまでの物理的な通信についての説明を省略する。
【００４３】
エージェントサーバ２００は、通信部２１０を備える。通信部２１０は、例えばＮＩＣ（Network Interface Card）などのネットワークインターフェースである。更に、エージェントサーバ２００は、例えば、音声認識部２２０と、自然言語処理部２２２と、対話管理部２２４と、ネットワーク検索部２２６と、応答文生成部２２８と、記憶制御部２３０とを備える。これらの構成要素は、例えば、ＣＰＵなどのハードウェアプロセッサがプログラム（ソフトウェア）を実行することにより実現される。これらの構成要素のうち一部または全部は、ＬＳＩやＡＳＩＣ、ＦＰＧＡ、ＧＰＵなどのハードウェア（回路部；circuitryを含む）によって実現されてもよいし、ソフトウェアとハードウェアの協働によって実現されてもよい。プログラムは、予めＨＤＤやフラッシュメモリなどの記憶装置（非一過性の記憶媒体を備える記憶装置）に格納されていてもよいし、ＤＶＤやＣＤ−ＲＯＭなどの着脱可能な記憶媒体（非一過性の記憶媒体）に格納されており、記憶媒体がドライブ装置に装着されることでインストールされてもよい。通信部２１０は「取得部」の一例であり、自然言語処理部２２２は「意図解釈部」の一例であり、エージェント機能部１５０と、対話管理部２２４、ネットワーク検索部２２６、および応答文生成部２２８とを合わせたものは、「サービス提供部」の一例である。なお、複数のエージェントサーバ２００のうち一部は、記憶制御部２３０を備えないものであってよい。
【００４４】
エージェントサーバ２００は、記憶部２５０を備える。記憶部２５０は、上記の各種記憶装置により実現される。記憶部２５０には、パーソナルプロファイル２５２、辞書ＤＢ（データベース）２５４、知識ベースＤＢ２５６、応答規則ＤＢ２５８、サービスＤＢ２６０などのデータやプログラムが格納される。
【００４５】
エージェント装置１００において、エージェント機能部１５０は、音声ストリーム、或いは圧縮や符号化などの処理を行った音声ストリームを、エージェントサーバ２００に送信する。エージェント機能部１５０は、ローカル処理（エージェントサーバ２００を介さない処理）が可能な音声コマンドを認識した場合は、音声コマンドで要求された処理を行ってよい。ローカル処理が可能な音声コマンドとは、エージェント装置１００が備える記憶部（不図示）を参照することで回答可能な音声コマンドであったり、エージェント機能部１５０−１の場合は車両機器５０を制御する音声コマンド（例えば、空調装置をオンにするコマンドなど）であったりする。従って、エージェント機能部１５０は、エージェントサーバ２００が備える機能の一部を有してもよい。
【００４６】
音声ストリームを取得すると、音声認識部２２０が音声認識を行ってテキスト化された文字情報を出力し、自然言語処理部２２２が文字情報に対して辞書ＤＢ２５４を参照しながら意図解釈を行う。辞書ＤＢ２５４は、文字情報に対して抽象化された意味情報が対応付けられたものである。辞書ＤＢ２５４は、例えば、機能辞書２５４Ａと汎用辞書２５４Ｂを含む。機能辞書２５４Ａは、当該エージェントサーバ２００がエージェント装置１００と協働して実現するエージェント（以下、当該エージェントと称する）が提供する機能をカバーするための辞書である。例えば、当該エージェントが車載エアコンを制御する機能を提供する場合、機能辞書２５４Ａには、「エアコン」「空調」「つける」「消す」「温度」「上げる」「下げる」「内気」「外気」などの単語が、動詞、目的語などの単語種別、および抽象化された意味と対応付けられて登録されている。また、機能辞書２５４Ａには、同時に使用可能であることを示す単語間リンク情報が含まれてよい。汎用辞書２５４Ｂは、当該エージェントの提供する機能に限らず、一般的な物事の事象を抽象化された意味と対応付けた辞書である。機能辞書２５４Ａと汎用辞書２５４Ｂのそれぞれは、同義語や類義語の一覧情報を含んでもよい。機能辞書２５４Ａと汎用辞書２５４Ｂは、複数の言語のそれぞれに対応して用意されてよく、その場合、音声認識部２２０および自然言語処理部２２２は、予め設定されている言語設定に応じた機能辞書２５４Ａおよび汎用辞書２５４Ｂ、並びに文法情報（不図示）を使用する。音声認識部２２０の処理と、自然言語処理部２２２の処理は、段階が明確に分かれるものではなく、自然言語処理部２２２の処理結果を受けて音声認識部２２０が認識結果を修正するなど、相互に影響し合って行われてよい。
【００４７】
自然言語処理部２２２は、例えば、認識結果として、「今日の天気は」、「天気はどうですか」等の意図が認識された場合、標準文字情報「今日の天気」に置き換えたコマンドを生成する。これにより、リクエストの音声に文字揺らぎがあった場合にも要求にあった対話をし易くすることができる。また、自然言語処理部２２２は、例えば、確率を利用した機械学習処理等の人工知能処理を用いて文字情報の意味を認識したり、認識結果に基づくコマンドを生成してもよい。
【００４８】
対話管理部２２４は、自然言語処理部２２２の処理結果（コマンド）に基づいて、パーソナルプロファイル２５２や知識ベースＤＢ２５６、応答規則ＤＢ２５８を参照しながら車両Ｍの乗員に対する発話の内容を決定する。パーソナルプロファイル２５２は、乗員ごとに保存されている乗員の個人情報、趣味嗜好、過去の対話の履歴などを含む。知識ベースＤＢ２５６は、物事の関係性を規定した情報である。応答規則ＤＢ２５８は、コマンドに対してエージェントが行うべき動作（回答や機器制御の内容など）を規定した情報である。
【００４９】
また、対話管理部２２４は、音声ストリームから得られる特徴情報を用いて、パーソナルプロファイル２５２と照合を行うことで、乗員を特定してもよい。この場合、パーソナルプロファイル２５２には、例えば、音声の特徴情報に、個人情報が対応付けられている。音声の特徴情報とは、例えば、声の高さ、イントネーション、リズム（音の高低のパターン）等の喋り方の特徴や、メル周波数ケプストラム係数（Mel Frequency Cepstrum Coefficients）等による特徴量に関する情報である。音声の特徴情報は、例えば、乗員の初期登録時に所定の単語や文章等を乗員に発声させ、発声させた音声を認識することで得られる情報である。
【００５０】
対話管理部２２４は、コマンドが、ネットワークＮＷを介して検索可能な情報を要求するものである場合、ネットワーク検索部２２６に検索を行わせる。ネットワーク検索部２２６は、ネットワークＮＷを介して各種ウェブサーバ３００にアクセスし、所望の情報を取得する。「ネットワークＮＷを介して検索可能な情報」とは、例えば、車両Ｍの周辺にあるレストランの一般ユーザによる評価結果であったり、その日の車両Ｍの位置に応じた天気予報であったりする。
【００５１】
応答文生成部２２８は、対話管理部２２４により決定された発話の内容が車両Ｍの乗員に伝わるように、応答文を生成し、エージェント装置１００に送信する。応答文生成部２２８は、乗員がパーソナルプロファイルに登録された乗員であることが特定されている場合に、乗員の名前を呼んだり、乗員の話し方に似せた話し方にした応答文を生成してもよい。
【００５２】
エージェント機能部１５０は、応答文を取得すると、音声合成を行って音声を出力するように音声制御部１１８に指示する。また、エージェント機能部１５０は、音声出力に合わせてエージェントの画像を表示するように表示制御部１１６に指示する。このようにして、仮想的に出現したエージェントが車両Ｍの乗員に応答するエージェント機能が実現される。
【００５３】
［発話にサービスが対応していない場合の処理］
以下、一部または全部のエージェント装置１００とエージェントサーバ２００の組が協働して行う、発話にサービスが対応していない場合の処理について説明する。前述したように、エージェントサーバ２００の自然言語処理部２２２は、音声認識の結果に基づいて利用者の意図解釈を行い、対話管理部２２４は、意図解釈の結果に基づいて利用者に提供するサービスを決定する。このとき、対話管理部２２４は、意図解釈の結果が、エージェントとして提供可能なサービスの範囲を超えるか否かを判定する。対話管理部２２４は、機能辞書２５４Ａを用いて判定を行ってもよいし、サービスＤＢ２６０を用いて判定を行ってもよい。
【００５４】
図６は、サービスＤＢ２６０の内容の一例を示す図である。本図は、車両機器５０を制御可能なエージェント２に対応するサービスＤＢ２６０の内容を例示したものである。サービスＤＢ２６０は、エージェントが提供可能なサービスと、提供できないサービスとをそれぞれ登録した情報である。提供できないサービスには、そのサービスが乗員によって要求された回数（要求回数）が対応付けられている。
【００５５】
対話管理部２２４は、乗員の発話に基づいて認識される要求が、エージェントの提供可能なサービスの範囲を超える場合（サービスを提供できない場合）、その理由を類型化して乗員に伝える。その理由は、例えば、以下のように分類される。
（１）音声認識が十分にできなかった。
（２）音声認識はできたが、意図解釈が十分にできなかった。
（３）意図解釈はできたが、サービス対象外であった。
（３−１）汎用辞書２５４Ｂを用いて意図は解釈できたが、サービスＤＢ２６０に登録されていなかった。
（３−２）サービスＤＢ２６０に「提供できないサービス」として登録されていた。
【００５６】
記憶制御部２３０は、乗員の発話に対してエージェントがサービスを提供できない場合において、その理由が上記（３−１）であった場合、乗員の発話から認識される要求を、サービスＤＢ２６０の「提供できないサービス」のデータセットに新たなレコードとして追加する。記憶制御部２３０は、乗員の発話に対してエージェントがサービスを提供できない場合において、その理由が上記（３−２）であった場合、サービスＤＢ２６０の「提供できないサービス」のデータセットにおける、乗員の発話から認識される要求に該当するレコードの「要求回数」を１インクリメントする。なお、要求回数は、車両ごと、すなわち利用者ごとにカウントされてもよいし、利用者を問わず、当該エージェントを利用するすべての利用者について共通してカウントされてもよい。
【００５７】
図７の各図は、乗員（利用者Ｕ）の発話に応じてエージェント装置１００が応答する内容を例示した図である。
【００５８】
図７の（Ａ）に示すように、乗員の発話に対して、音声認識が十分にできなかった場合、および、（Ｂ）に示すように、意図解釈が十分にできなかった場合、応答文生成部２２８は、対話管理部２２４の判断を受けて「恐れ入りますが、もう一度お願いします」といった応答文を生成してエージェント装置１００に送信する。エージェント装置１００のエージェント機能部１５０は、エージェントサーバ２００から応答文を取得すると、そのままの内容で、或いは利用者の特性に応じた修正を行った内容で音声合成を行って、スピーカユニット３０に出力させる。
【００５９】
図７の（Ｃ）に示すように、乗員の発話に対して、汎用辞書２５４Ｂを用いて意図は解釈できたが、サービスＤＢ２６０に登録されていなかった場合、応答文生成部２２８は、対話管理部２２４の判断を受けて「その機能には、対応しておりません」といった応答文を生成してエージェント装置１００に送信する。エージェント装置１００のエージェント機能部１５０は、エージェントサーバ２００から応答文を取得すると、そのままの内容で、或いは利用者の特性に応じた修正を行った内容で音声合成を行って、スピーカユニット３０に出力させる。
【００６０】
図７の（Ｄ）に示すように、乗員の発話の内容が、サービスＤＢ２６０に「提供できないサービス」として登録されていた場合、応答文生成部２２８は、対話管理部２２４の判断を受けて「その機能は、現行モデルでは未対応です」といった応答文を生成してエージェント装置１００に送信する。エージェント装置１００のエージェント機能部１５０は、エージェントサーバ２００から応答文を取得すると、そのままの内容で、或いは利用者の特性に応じた修正を行った内容で音声合成を行って、スピーカユニット３０に出力させる。
【００６１】
図８は、エージェントサーバ２００において実行される処理の流れの一例を示すフローチャートである。本フローチャートの処理は、エージェントサーバ２００がエージェント装置１００から音声を取得したときに開始される。
【００６２】
まず、音声認識部２２０が音声認識処理を行い（ステップＳ１００）自然言語処理部２２２が自然言語処理を行う（ステップＳ１０２）。対話管理部２２４は、自然言語処理の結果に基づいて通常応答が可能であるか否かを判定する（ステップＳ１０４）。通常応答が可能であると判定された場合、応答文生成部２２８が、利用者の要求（コマンド）に応じた応答文を生成し、通信部２１０を介してエージェント装置１００に送信する（ステップＳ１０６）。
【００６３】
ステップＳ１０４において通常応答が可能でないと判定された場合、対話管理部２２４は、音声認識または意図解釈が十分にできなかったことが、通常応答不可の理由であるか否かを判定する（ステップＳ１０８）。ステップＳ１０８で肯定的な判定を得た場合、応答文生成部２２８は、通常応答不可理由に応じた応答文（パターン１）を生成し、通信部２１０を介してエージェント装置１００に送信する（ステップＳ１１０）。パターン１の応答文とは、例えば、図７の（Ａ）または（Ｂ）に示す応答文である。
【００６４】
ステップＳ１０８において否定的な判定を得た場合、対話管理部２２４は、意図解釈の結果がサービスＤＢ２６０に登録されているか否かを判定する（ステップＳ１１２）。ステップＳ１１２で肯定的な判定を得た場合、応答文生成部２２８は、通常応答不可理由に応じた応答文（パターン２）を生成し、通信部２１０を介してエージェント装置１００に送信する（ステップＳ１１４）。パターン２の応答文とは、例えば、図７の（Ｃ）に示す応答文である。そして、記憶制御部２３０が、乗員の発話を意図解釈した結果として認識される要求を、サービスＤＢ２６０の「提供できないサービス」のデータセットに新たなレコードとして追加する（ステップＳ１１６）。
【００６５】
ステップＳ１１２において否定的な判定を得た場合、応答文生成部２２８は、通常応答不可理由に応じた応答文（パターン３）を生成し、通信部２１０を介してエージェント装置１００に送信する（ステップＳ１１８）。パターン３の応答文とは、例えば、図７の（Ｄ）に示す応答文である。そして、記憶制御部２３０が、サービスＤＢ２６０の「提供できないサービス」のデータセットにおける、乗員の発話を意図解釈した結果として認識される要求に該当するレコードの「要求回数」を１インクリメントする（ステップＳ１２０）。
【００６６】
［サービスＤＢの利用について］
エージェントの運営者は、各乗員について、或いは乗員間で共通して集計されたサービスＤＢ２６０を参照し、エージェントの新たな機能を追加することを検討する。例えば、図８で例示した「シートを後ろ向きにして」という要求は、仮に自動的な制御で且つ車両Ｍの走行中に実行する場合、車両Ｍが自動運転車両である必要がある。エージェントの運営者は、例えば、車両Ｍが自動運転車両であることを条件として、当該機能を追加することを決定する。
【００６７】
図９は、エージェント機能の追加（サービスの追加）について説明するための図である。例えば、エージェントの運営者は、サービスＤＢ２６０における「要求回数」が多いサービスを優先的に追加する。新たな機能を追加することが決定された場合、エージェントの運営者は、エージェント装置１００およびエージェントサーバ２００が保持しているプログラムを更新する処理を行う。エージェント装置１００に対するプログラムの更新は、例えば、ネットワークＮＷを介して更新プログラムを配信することで行われる。これによって、エージェントが提供可能なサービスの範囲を超えると判定された意図解釈の結果が、エージェントが提供可能なサービスとなる。これによって、上記説明した機能は、エージェント機能の改善に寄与することができる。
【００６８】
プログラムが更新されるのに伴い、エージェントサーバ２００の記憶制御部２３０は、追加されたサービスの情報を、「提供可能なサービス」のデータセットに追加し、もし「提供できないサービス」のデータセットに含まれている場合は、これを削除する。これによって、エージェントサーバ２００は、提供可能なサービスと適用できないサービスを簡易に判定することができる。このとき、機能辞書２５４Ａも併せて更新されてよい。
【００６９】
以上説明した実施形態によれば、利用者（乗員）により発生された音声に対して音声認識を行う音声認識部２２０と、音声認識の結果に基づいて利用者の意図解釈を行う意図解釈部（２２２）と、意図解釈の結果に基づいて前記利用者にサービスを提供するサービス提供部（１５０、２２４、２２６、２２８）と、意図解釈の結果が、サービス提供部が提供可能なサービスの範囲を超える場合、意図解釈の結果に基づく情報を記憶部２５０に記憶させる記憶制御部２３０と、を備えることにより、エージェント機能の改善に寄与することができる。
【００７０】
＜変形例１＞
上記実施形態では、記憶制御部２３０は、意図解釈の結果が、エージェントが提供可能なサービスの範囲を超える場合、意図解釈の結果に基づく情報（要求）を、特に条件を課すことなく記憶部２５０に記憶させるものとした。これに代えて、対話管理部２２４は、意図解釈の結果が、エージェントが提供可能なサービスの範囲を超える場合、意図解釈の結果に基づく情報を記憶部２５０に記憶させるか否かを乗員に問い合わせるように、応答文生成部２２８に指示し、記憶制御部２３０は、問い合わせの結果、意図解釈の結果に基づく情報を記憶部２５０に記憶させることを要求する回答が得られた場合、意図解釈の結果に基づく情報を記憶部２５０に記憶させるようにしてもよい。こうすれば、単なる言い間違いなどでサービスＤＢ２６０に履歴が積みあがってしまうのを抑制することができる。
【００７１】
＜変形例２＞
また、記憶制御部２３０は、意図解釈の結果が、サービス提供部が提供可能なサービスの範囲を超えることとなった頻度または回数に基づいて、意図解釈の結果に基づく情報を記憶部２５０に記憶させるようにしてもよい（以下では回数を例にとって説明するが、全体の発生回数で除算して頻度としてもよい）。図１０は、変形例２に係る処理の内容について説明するための図である。この場合、エージェントサーバ２００は、一時記憶テーブル２６２を記憶部２５０に設ける。記憶制御部２３０は、意図解釈の結果が、サービス提供部が提供可能なサービスの範囲を超えることとなった度に、一時記憶テーブル２６２の「要求回数」を１インクリメントする。そして、「要求回数」が閾値以上となった要求を、サービスＤＢ２６０に登録する。こうすれば、変形例１と同様に、単なる言い間違いなどでサービスＤＢ２６０に履歴が積みあがってしまうのを抑制することができる。
【００７２】
＜変形例３＞
また、記憶制御部２３０は、音声認識の結果、例えば、提供できないサービスが要求された直後または直前に、乗員により所定のフレーズが発話されたこと認識された場合に、意図解釈の結果に基づく情報を記憶部２５０に記憶させるようにしてもよい。図１１は、変形例３に係る処理の内容について説明するための図である。例えば、乗員が「マッサージしてくれる」と発話したのに対して「その機能には対応しておりません」という応答がなされた後、乗員が「サービス追加」というフレーズを含む「サービス追加して」という発話をした場合、エージェント装置１００が「ご要望を承りました。ご検討致します。」といった発話を返すと共に、エージェントサーバ２００において「マッサージ」というサービスをサービスＤＢ２６０の「提供できないサービス」に追加する。エージェントの運営者は、例えば、車両のシートにマッサージ機が付設されるのが一般的になったことを契機に、当該サービスをエージェントの機能に追加する。このようにすれば、変形例１と同様に、単なる言い間違いなどでサービスＤＢ２６０に履歴が積みあがってしまうのを抑制することができる。
【００７３】
上記の説明において、エージェント装置１００とエージェントサーバ２００が別体であり、ネットワークＮＷを介した通信によってエージェントを実現するものとしたが、これに限らず、エージェント装置がエージェントサーバの機能を兼ね備え、一つの装置で上記説明した動作を行えるようにしてもよい。
【００７４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００７５】
１０  マイク
２０  表示・操作装置
３０  スピーカユニット
４０  ナビゲーション装置
５０  車両機器
６０  車載通信装置
７０  汎用通信装置
８０  乗員認識装置
１００  エージェント装置
１１０  管理部
１１２  音響処理部
１１４  エージェントごとＷＵ判定部
１１６  表示制御部
１１８  音声制御部
１５０  エージェント機能部
１５２  ペアリングアプリ実行部
２００  エージェントサーバ
２１０  通信部
２２０  音声認識部
２２２  自然言語処理部
２２４  対話管理部
２２６  ネットワーク検索部
２２８  応答文生成部
２３０  記憶制御部
２５０  記憶部
２５４  辞書ＤＢ
２５４Ａ  機能辞書
２５４Ｂ  汎用辞書
２６０  サービスＤＢ
２６２  一時記憶テーブル
【図１】
2020160133.tif 000003
【図２】
2020160133.tif 000004
【図３】
2020160133.tif 000005
【図４】
2020160133.tif 000006
【図５】
2020160133.tif 000007
【図６】
2020160133.tif 000008
【図７】
2020160133.tif 000009
【図８】
2020160133.tif 000010
【図９】
2020160133.tif 000011
【図１０】
2020160133.tif 000012
【図１１】
2020160133.tif 000013